(57)【要約】【課題】  本発明は、簡単且つ小規模な構造で保守コストを軽減できる冠雪防止装置を提供することにある。【解決手段】  鉄塔から突出するアングル材１１に取り付ける冠雪防止装置であって、屋根部材３と、支持部材４とを備えており、屋根部材３は、アングル材１１の任意の箇所の上部を覆う状態で配置してあり、支持部材４は、アングル材１１に固定してあると共に屋根部材３を揺動自在に支持しており、屋根部材３または支持部材４には、屋根部材３が揺動した後に初期位置に復帰させる付勢手段１３と、屋根部材３の揺動を所定の範囲内に規制する規制手段１６とを有していることを特徴とする。【選択図】      図１（ａ）（ｂ）
2014234585.tif 000002
【特許請求の範囲】
【請求項１】
鉄塔から突出するアングル材に取り付ける冠雪防止装置であって、
屋根部材と、支持部材とを備えており、屋根部材は、アングル材の任意の箇所の上部を覆う状態で配置してあり、支持部材は、アングル材に固定してあると共に屋根部材を揺動自在に支持しており、
屋根部材または支持部材には、屋根部材が揺動した後に初期位置に復帰させる付勢手段と、屋根部材の揺動を所定の範囲内に規制する規制手段とを有していることを特徴とする冠雪防止装置。
【請求項２】
鉄塔から突出するアングル材に取り付ける冠雪防止装置であって、
冠雪部と、受け部とを備えており、冠雪部は、アングル材の任意の箇所に取り付けるものであり、屋根部材と支持部材とを有しており、屋根部材は、アングル材の上部を覆う状態で配置してあり、屋根の傾斜方向の一側に重りを有しており、支持部材は、アングル材に固定してあると共に屋根部材を揺動自在に支持しており、
受け部は、雪を載せる載置面を有すると共に、屋根部材の重りを有する側とは支持部材を挟んだ他側に設けてあることを特徴とする冠雪防止装置。
【請求項３】
鉄塔から突出するアングル材に取り付ける冠雪防止装置であって、
冠雪部と、受け部とを備えており、冠雪部は、アングル材の任意の箇所に取り付けるものであり、屋根部材と支持部材とを有しており、屋根部材は、アングル材の上部を覆う状態で配置してあり、支持部材は、アングル材に固定してあると共に屋根部材を揺動自在に支持しており、屋根部材または支持部材には、屋根部材が揺動した後に初期位置に復帰させる付勢手段と、屋根部材の揺動を所定の範囲内に規制する規制手段とを有しており、
受け部は、雪を載せる載置面を有すると共に、屋根部材の傾斜方向のいずれかの側に設けてあることを特徴とする冠雪防止装置。
【請求項４】
冠雪部と受け部は、離隔してあることを特徴とする請求項２又は３記載の冠雪防止装置。
【発明の詳細な説明】
【技術分野】
【０００１】
本発明は、おもに鉄塔などの高所に設置される冠雪防止装置に関するものである。
【背景技術】
【０００２】
寒冷地や山間部などの雪深い場所においては、降り積もった雪が送電線や電波塔などに代表される鉄塔に冠雪する。そして、鉄塔の上部では、雪が降り続けたときに、以前に降った雪が融けずに残ることで鉄塔の上部に巨大な雪の塊が冠雪する。これにより、雪の重みによって鉄塔上部の設備が破損する懸念があった。そこで、作業員が鉄塔上部の冠雪を取り除く作業を行っていたが、高所で且つ冠雪により足場の状態が悪いために大変危険であった。さらに、冠雪を防ぐために冬季の間に何度も現場までに向かわなければならず、このことから、保守にかかるコストが増大するものであった。
【先行技術文献】
【特許文献】
【０００３】
【特許文献１】特開２００２−２７６２００号公報
【発明の概要】
【発明が解決しようとする課題】
【０００４】
そこで、特開２００２−２７６２００号公報に開示されるような、鉄塔のアングル材の水平な箇所に、雪を滑落をさせるための斜面を形成するカバー材を嵌合するものがあった。しかしながら、寒冷地ではカバー材の表面に付着した雪や水分が氷結して付着したままの状態となる。そして、気温や日照に恵まれずに氷結状態が続くと、上記のカバー材の表面に付着した氷の上に雪が次第に積もっていき、巨大な冠雪による荷重でアングル材が破損することがあった。
本発明は、簡単且つ小規模な構造で保守コストを軽減できる冠雪防止装置を提供することにある。
【課題を解決するための手段】
【０００５】
本発明のうち請求項１記載の発明は、鉄塔から突出するアングル材に取り付ける冠雪防止装置であって、屋根部材と、支持部材とを備えており、屋根部材は、アングル材の任意の箇所の上部を覆う状態で配置してあり、支持部材は、アングル材に固定してあると共に屋根部材を揺動自在に支持しており、屋根部材または支持部材には、屋根部材が揺動した後に初期位置に復帰させる付勢手段と、屋根部材の揺動を所定の範囲内に規制する規制手段とを有していることを特徴とする。
【０００６】
本発明のうち請求項２記載の発明は、鉄塔から突出するアングル材に取り付ける冠雪防止装置であって、冠雪部と、受け部とを備えており、冠雪部は、アングル材の任意の箇所に取り付けるものであり、屋根部材と支持部材とを有しており、屋根部材は、アングル材の上部を覆う状態で配置してあり、屋根の傾斜方向の一側に重りを有しており、支持部材は、アングル材に固定してあると共に屋根部材を揺動自在に支持しており、受け部は、雪を載せる載置面を有すると共に、屋根部材の重りを有する側とは支持部材を挟んだ他側に設けてあることを特徴とする。
【０００７】
本発明のうち請求項３記載の発明は、鉄塔から突出するアングル材に取り付ける冠雪防止装置であって、冠雪部と、受け部とを備えており、冠雪部は、アングル材の任意の箇所に取り付けるものであり、屋根部材と支持部材とを有しており、屋根部材は、アングル材の上部を覆う状態で配置してあり、支持部材は、アングル材に固定してあると共に屋根部材を揺動自在に支持しており、屋根部材または支持部材には、屋根部材が揺動した後に初期位置に復帰させる付勢手段と、屋根部材の揺動を所定の範囲内に規制する規制手段とを有しており、受け部は、雪を載せる載置面を有すると共に、屋根部材の傾斜方向のいずれかの側に設けてあることを特徴とする。
【０００８】
本発明のうち請求項４記載の発明は、冠雪部と受け部は離隔してあることを特徴とする。
【発明の効果】
【０００９】
本発明のうち請求項１記載の発明によれば、屋根部材が風や震動などで揺動することにより、屋根部材に降り積もって氷結した雪が揺り落とされることで、アングル材の一部の冠雪が滑落する。これにより、鉄塔から突出するアングル材の全長にわたる冠雪に対し、屋根部材の揺動で冠雪の一部が動かされることで、その他の箇所の冠雪に影響を及ぼして広い範囲の冠雪を滑落させることができる。このことから、冬季や寒冷地における鉄塔の管理にかかる保守コストが飛躍的に軽減されるとともに、作業者の現場への出動回数が少なくなって安全な運用が可能となる。
【００１０】
本発明のうち請求項２記載の発明によれば、受け部に雪が載ったときの荷重、あるいは、風が当たることなどにより、冠雪部を構成している屋根部材が支持部材を支点に揺動する。さらに、屋根部材が揺動した後、その屋根部材の傾斜方向の一側に有する重りの重量を利用し、所謂「ししおどし」のように屋根部材を元の位置に戻すことにより、屋根部材の冠雪を元の位置に戻したときの衝撃で鉄塔の下に落とすことができる。
【００１１】
本発明のうち請求項３記載の発明によれば、屋根部の傾斜方向の一側または他側に受け部を設けることにより、受け部を設けた側に雪を載置させることで屋根部材の一側と他側の比重が感度良く切り替わり、設置後に冠雪防止の効果がより一層向上する。
【００１２】
本発明のうち請求項４記載の発明によれば、冠雪部から離れた位置に受け部を設けることにより、てこの原理を利用して小さな力が加わるだけで受け部から屋根部材を揺動させることができる。これにより、降雪や風などの不安定な自然エネルギーを利用して屋根部材を揺動させるものであっても、小さな力で感度よく動かせるので、屋根部材の大きさの制限を拡大させることができる。したがって、規模の大きな鉄塔など様々な条件下で冠雪防止装置を設置することができる。
【図面の簡単な説明】
【００１３】
【図１（ａ）（ｂ）】本発明による冠雪防止装置の第一実施形態を示す（ａ）は縦断面図であり、（ｂ）は平面図である。
【図２（ａ）（ｂ）（ｃ）】（ａ）（ｂ）は、図１（ａ）中Ａを拡大して連結部材の作用状態を示す側面図であり、（ｃ）は、正面図である。
【図３（ａ）（ｂ）】（ａ）（ｂ）は、第一実施形態の冠雪防止装置の作用状態を示す縦断面図である。
【図４（ａ）（ｂ）】（ａ）（ｂ）は、第一実施形態の冠雪防止装置を取り付けたアングル材全体を示す正面図である。
【図５（ａ）（ｂ）】（ａ）（ｂ）は、本発明の冠雪防止装置の第二実施形態と、その作用状態を示す縦断面図である。
【図６（ａ）（ｂ）】（ａ）（ｂ）は、同じく本発明の冠雪防止装置の第三実施形態と、その作用状態を示す縦断面図である。
【発明を実施するための形態】
【００１４】
以下に、図面に基づいて本発明による冠雪防止装置の第一実施形態のものについて説明する。
本実施による冠雪防止装置は、図１（ａ）（ｂ）と図４（ａ）（ｂ）のように、鉄塔上部のアングル材１１に固定される冠雪部１と、その冠雪部１に取り付けられる受け部２とから構成するものである。また、アングル材１１は、垂直片１１ａと水平片１１ｂとからなる断面ほぼＬ字型の長尺なものである。
【００１５】
冠雪部１は、屋根部材３と、支持部材４と、連結部材６から構成している。屋根部材３は、スチールなどを素材とする金属板を曲げ加工して頂部を有する三角屋根状をなすものである。
支持部材４は、図１（ａ）と図２（ａ）〜（ｃ）のように、屋根部材３の内周側に取り付けられる桁部材７と、桁部材７の長手方向の中間部に固定される屋根支持部材８と、アングル材１１に固定する起立部材５とを有するものである。
起立部材５は、ほぼＬ字型をなすアングル材１１の水平片１１ｂの上面に固定する台座９と、台座９から起立した起立板１０とから構成している。
連結部材６は、図２（ａ）〜（ｃ）のように、一方側連結部材６ａと他方側連結部材６ｂとから構成するものである。さらに、一方側連結部材６ａと他方側連結部材６ｂは、屋根支持部材８と起立板１０とにそれぞれ固定してあり、一方側連結部材６ａと他方側連結部材６ｂは、互い水平軸回転自在に連結される丁番構造のものである。また、一方側連結部材６ａと他方側連結部材６ｂとを連結している回転軸には、コイルばね状の付勢部材１３が取り付けてある。そして、付勢部材１３のコイルの両端部は、それぞれが一方側連結部材６ａと他方側連結部材６ｂに係止してあり、一方側連結部材６ａと他方側連結部材６ｂが常に一方側に回動するように付勢力を働かせている。
また、屋根支持部材８の下端部は、一方側連結部材６ａよりも下方に延出して規制部（規制手段）１６を有している。さらに、規制部（規制手段）１６は、屋根部材３が元の位置にあるときに起立板１０に当接し、屋根部材３がそれ以上受け部２の設けていない側に揺動するのを規制している。
【００１６】
受け部２は、作用板１４と、その作用板１４を屋根部材３に連結する連結材１５とから構成するものである。作用板１４は、その上面に一定量の雪を載せることのできる載置面１４ａを有するものであり、屋根部材３から離れる側が下方に傾斜した状態で連結材１５に連結してある。連結材１５は、作用板１４を屋根部材３から離隔した状態で取り付けるものであり、連結材１５の断面形状は、雪が連結材１５に積もらないように円形状としてある。
【００１７】
上記のように本実施による冠雪防止装置を構成することにより、以下に示す作用、効果を奏することになる。
図３（ａ）に示すように、冠雪部１を構成する屋根部材３に冠雪し、さらに、受け部２の作用板１４の載置面１４ａに雪が降り積もったときに、受け部２がその重みで下がる。そして、図３（ｂ）のように、受け部２が下がると、てこの原理により、支持部材４と起立部材５を連結する連結部材６を支点とし、さらに、付勢部材１３の付勢力に逆らって屋根部材３が受け部２側に傾く。受け部２が下がりきると、受け部２に載っている雪２０が衝撃で鉄塔の下に落下して軽くなるとともに、付勢部材１３の付勢力と屋根部材３の重量が勝り、連結部材６を支点として受け部２を持ち上げる。受け部２が持ち上がり屋根部材３が元の位置に復帰したときに、屋根支持部材８の下端部に有する規制部（規制手段）１６が起立部材５の起立板１０に当接して屋根部材３のそれ以上の揺動を止める力が働く（図２（ａ）（ｂ）もあわせて参照）。その揺動を止めたときの衝撃で屋根部材３の冠雪が揺り落とされて鉄塔の下に落下し、屋根部材３の冠雪を防止する。
【００１８】
また、上記のように本実施による冠雪防止装置が作動することで鉄塔全体の冠雪のうちの一部が滑落する構造となるが、寒冷地や山間部では冬季に気温が相当下がることから屋根部材３やアングル材１１の冠雪が一続きに凍結する。したがって、図４（ａ）（ｂ）のように、連結部材６を支点として屋根部材３が揺動することにより、屋根部材３の冠雪が一続きに氷結しているアングル材１１の冠雪を引き剥がそうと作用するので、鉄塔のアングル材１１の冠雪を広範囲に滑落させることができる。これにより、鉄塔全体における雪の荷重が大幅に軽減されて破損や変形が防がれる。
【００１９】
図５（ａ）（ｂ）は、本発明による冠雪防止装置の第二実施形態を示すものである。
本実施のものは、上記の第一実施形態のものと相違する構成として、受け部２がなく、屋根部材３の一方の傾斜面を他方に比べて長く形成したものである。
このように形成すると、屋根部材３に冠雪したときに、傾斜面の長いほうの比重が大きくなることにより、連結部材６を構成する一方側連結部材６ａと他方側連結部材６ｂが付勢部材１３の付勢力に逆らって回動し、屋根部材３を傾斜面の長いほうに傾ける。そして、屋根部材３が傾いたときに、屋根部材３の傾斜面の長い側の雪の一部が滑落して鉄塔の下に落ちるので、屋根部材３の比重が変わり、付勢部材１３の付勢力が勝って屋根部材３が元の位置に復帰する。このときに、屋根部材３の規制部（規制手段）１６が起立板１０の上端部に当接し、そのときの衝撃で屋根部材３の冠雪が揺り落とされる。
【００２０】
上記のように構成された本発明による冠雪防止装置の第二実施形態のものにおいても、屋根部材３の揺動と、揺動した後に元の位置に復帰したときの屋根部材３に対する衝撃の伝達が繰り返して行われる。したがって、降雪期の鉄塔に過大な負担を与える冠雪が防がれることになる。
【００２１】
図６（ａ）（ｂ）は、本発明による冠雪防止装置の第三実施形態を示すものである。
本実施のものは、上記の第一及び第二実施形態のものと相違する構成として、一方側連結部材６ａと他方側連結部材６ｂに回動を制御する付勢部材１３がないものである。
具体的に、屋根部材３の一方側の傾斜面の下端部に重り１７が設けてあり、また、屋根部材３の他方側の傾斜面の下端部には、受け部２が設けてある。
このように形成すると、屋根部材３と受け部２に冠雪したときに、比重が受け部２のある側が重くなることから屋根部材３が受け部２側に下がる。このときに、受け部２と屋根部材３の一部の雪１９，２０が滑落して鉄塔の下に落下し、屋根部材３の受け部２側の比重が軽くなる。そして、屋根部材３の重り１７の設けてある側の比重が重くなるので、屋根部材３が元の位置に復帰しようと回動し、屋根部材３の規制部（規制手段）１６が起立板１０の上端部と当接することにより、所謂「ししおどし」のように屋根部材３に対して当接による衝撃が伝わる。これにより、屋根部材３の冠雪が揺り落とされて鉄塔の下に滑落する。
【００２２】
上記のように構成された本発明による冠雪防止装置の第三実施形態のものにおいても、屋根部材３の揺動と、揺動した後に元の位置に復帰したときの屋根部材３に対する衝撃の伝達が繰り返して行われる。したがって、降雪期の屋根部材３に過大な負担を与える冠雪が防がれることになる。また、本実施形態では、屋根部材３に重りを取り付けたものを示したが、肉厚を厚くするなど屋根部材３と一体の重り１７を設けて一方側の傾斜面と他方側の傾斜面の比重を調整してもよい。
【００２３】
本発明の冠雪防止装置は、請求項に記載する範囲内であれば、上記の実施形態に限定されるものではない。
冠雪部１を構成する屋根部材３は、三角形状をなすものであるが、降り積もった雪が滑落する形状であれば彎曲したドーム型のものであってもよい。また、屋根部材３の傾斜角度も特に限定するものではない。また、受け部２は、雪や雨、風を受けて屋根部材３を揺動させるものであればよいから、少なくとも一部に上記した雪や雨、風を受けることのできる面状の箇所を設けてあれば、特に形状や大きさは限定されない。
【符号の説明】
【００２４】
１  冠雪部
２  受け部
３  屋根部材
４  支持部材
５  起立部材（支持部材）
６  連結部材
１１  アングル材
１３  付勢部材（付勢手段）
１４ａ  載置面
１６  規制部（規制手段）
１７  重り
【図１（ａ）（ｂ）】
2014234585.tif 000003
【図２（ａ）（ｂ）（ｃ）】
2014234585.tif 000004
【図３（ａ）（ｂ）】
2014234585.tif 000005
【図４（ａ）（ｂ）】
2014234585.tif 000006
【図５（ａ）（ｂ）】
2014234585.tif 000007
【図６（ａ）（ｂ）】
2014234585.tif 000008